(57)【要約】【課題】種々の金管楽器に対応して外部空間に漏れ出る音量を減少させ、安定して消音効果を高めることが可能で、かつコンパクトで高性能な金管楽器用消音器を提供する。【解決手段】金管楽器のベル１０１に装着される消音器本体７を有し、この消音器本体７は底部５と胴部３からなり内部空間２１を有し、底部５に最大内径部があり、この最大内径部がベル１０１の端面に位置する金管楽器用消音器において、消音器本体７に、呼気を内部空間に導入する呼気導入開口部８０と、内部空間に連通して呼気を外部空間に排出する所定の長さを有する呼気排出通路部８１を設け、呼気排出通路部８１の通路抵抗により外部への音波の伝播を抑制するようにしている。【選択図】図２
2008096498.tif 000002
【特許請求の範囲】
【請求項１】
金管楽器のベルに装着される消音器本体を有し、この消音器本体は底部と胴部からなり内部空間を有し、前記底部に最大内径部があり、この最大内径部が前記ベルの端面に位置する金管楽器用消音器において、
前記消音器本体に、
呼気を内部空間に導入する呼気導入開口部と、
前記内部空間に連通して呼気を外部空間に排出する所定の長さを有する呼気排出通路部を設け、
前記呼気排出通路部の通路抵抗により外部への音波の伝播を抑制するようにした、
ことを特徴とする金管楽器用消音器。
【請求項２】
前記呼気排出通路部を、前記消音器本体の内部に設けた、
ことを特徴とする請求項１に記載の金管楽器用消音器。
【請求項３】
前記呼気排出通路部を、前記消音器本体の外部に設けた、
ことを特徴とする請求項１に記載の金管楽器用消音器。
【請求項４】
前記消音器本体の底部の外部に電源および電子回路モジュールを備え、
前記消音器本体の内部にマイクロホンを備え、
前記電源および電子回路モジュールと前記マイクロホンを信号線で接続した、
ことを特徴とする請求項１乃至請求項３のいずれか１項に記載の金管楽器用消音器。
【発明の詳細な説明】
【技術分野】
【０００１】
この発明は、トランペットやトロンボーン等の金管楽器に用いられる消音器に係り、特に音量を少なくする目的で用いられる弱音用の金管楽器用消音器に関するものである。
【背景技術】
【０００２】
従来の弱音用の金管楽器用消音器として、出願人は先に、底部と胴部とからなり、底部に最大内径部がある消音器本体を備え、更にベルの内周面と胴部の外周面との間に排出溝が形成されるものを提案した(特許文献１)。この金管楽器用消音器は、消音器本体の内部に入った演奏者の呼気は排出溝の連通空間を通って外部空間に排出され、外部空間に漏れ出る音量を減少させ、消音効果を高めている。
【特許文献１】特開２００１−２８２２３３
【発明の開示】
【発明が解決しようとする課題】
【０００３】
ところで、このものは、消音器本体の胴部の外周面に排出溝が形成され、金管楽器のベルに消音器本体を装着したときに、演奏者の呼気が排出溝の連通空間を通って外部空間に排出される構造であり、金管楽器のベルの形状などによって一定の断面積や長さを有する連通空間を形成することができないことがある。
【０００４】
この発明は、かかる点に鑑みてなされたもので、種々の金管楽器に対応して外部空間に漏れ出る音量を減少させ、安定して消音効果を高めることが可能で、かつコンパクトで高性能な金管楽器用消音器を提供することを目的としている。
【課題を解決するための手段】
【０００５】
前記課題を解決し、かつ目的を達成するために、この発明は、以下のように構成されている。
【０００６】
請求項１に記載の発明は、金管楽器のベルに装着される消音器本体を有し、この消音器本体は底部と胴部からなり内部空間を有し、前記底部に最大内径部があり、この最大内径部が前記ベルの端面に位置する金管楽器用消音器において、
前記消音器本体に、
呼気を内部空間に導入する呼気導入開口部と、
前記内部空間に連通して呼気を外部空間に排出する所定の長さを有する呼気排出通路部を設け、
前記呼気排出通路部の通路抵抗により外部への音波の伝播を抑制するようにした、
ことを特徴とする金管楽器用消音器である。
【０００７】
請求項２に記載の発明は、前記呼気排出通路部を、前記消音器本体の内部に設けた、
ことを特徴とする請求項１に記載の金管楽器用消音器である。
【０００８】
請求項３に記載の発明は、前記呼気排出通路部を、前記消音器本体の外部に設けた、
ことを特徴とする請求項１に記載の金管楽器用消音器である。
【０００９】
請求項４に記載の発明は、
前記消音器本体の底部の外部に電源および電子回路モジュールを備え、
前記消音器本体の内部にマイクロホンを備え、
前記電源および電子回路モジュールと前記マイクロホンを信号線で接続した、
ことを特徴とする請求項１乃至請求項３のいずれか１項に記載の金管楽器用消音器である。
【発明の効果】
【００１０】
前記構成により、この発明は、以下のような効果を有する。
【００１１】
請求項１に記載の発明では、演奏者の呼気が、金管楽器のベルに装着した消音器本体の胴部の呼気導入開口部から内部空間へ入り、この呼気は呼気排出通路部を通って外部空間に排出され、このとき呼気排出通路部を音波が通るが、呼気排出通路部により外部への音波の伝播を抑制する。したがって、種々の金管楽器に対応して外部空間に漏れ出る音量を減少させ、安定して消音効果を高めることが可能で、かつコンパクトで音程バランスを正しく保つことができ、しかも、鳴りむらの無い安定した音を全音域で演奏可能にすることができる。
【００１２】
請求項２に記載の発明では、呼気排出通路部を、消音器本体の内部に設けたから、呼気排出通路部を設けるだけの簡単な消音構造で、外部空間に漏れ出る音量を減少させ、安定して消音効果を高めることができる。
【００１３】
請求項３に記載の発明では、呼気排出通路部を、消音器本体の外部に設けたから、呼気排出通路部を設けるだけの簡単な消音構造で、外部空間に漏れ出る音量を減少させ、安定して消音効果を高めることができる。
【００１４】
請求項４に記載の発明では、従来品に比べて軽量なので、消音器本体の底部の外部に電源および電子回路モジュールを備え、消音器本体の内部にマイクロホンを備え、電源および電子回路モジュールとマイクロホンを信号線で接続することができ、消音器自体に電源や電子回路モジュールを組み込んでも、実用上十分な小型消音器でありながら、オールインワンの使い易さも得られ、演奏時の演奏空間を自由に且つ快適に設定することができる。
【発明を実施するための最良の形態】
【００１５】
以下、この発明の金管楽器用消音器の実施の形態について説明するが、この発明の実施の形態は、発明の最も好ましい形態を示すものであり、この発明はこれに限定されない。
［実施の形態１］
以下、この発明の実施の形態に係る金管楽器用消音器を図１及び図２に従って詳細に説明する。図１はこの発明の金管楽器用消音器が装着されるトランペットの概略斜視図、図２はトランペットに装着した状態の消音器の断面図である。
【００１６】
符号１はトランペット用消音器を示し、この消音器１はトランペット１００のベル１０１に着脱自在に装着される。トランペット１００には、マウスピース１０２が取り付けられ、このマウスピース１０２はトランペット１００の先端のベル１０１から出る音を発生する入口であり、音程や音色等に影響する。消音器１は、胴部３と底部５とからなる消音器本体７を備えている。
【００１７】
胴部３は、アルミニウムで成形されているが、合成樹脂で成形されてもよい。この胴部３は、図２に示すように、直線部３ａと傾斜部３ｂとに分かれている。直線部３ａは消音器本体７の軸線方向（Ｂ−Ｃ方向）と平行になっており、胴部３の上端部としての大径側端部３ｃを含む直線部３ａ側が消音器本体７の最大外径部及び最大内径部７ａをなしている。傾斜部３ｂは直線部３ａと連続し、直線部３ａの一端部からベル１０１の内周面の形状に沿うように比較的滑らかに傾斜して絞られており、先細りしているので小径側端部３ｅ側が消音器本体７の最小外径部及び最小内径部７ｂをなしている。この小径側端部３ｅ側で内側に折り返し、折り返し部３ｆからさらに内側に延びる軸線が消音器本体１１の軸線方向（Ｂ−Ｃ方向）と一致するよう延びた調整筒３ｇが形成され、呼気を内部空間２１に導入する呼気導入開口部８０としている。調整筒３ｇは先細りであり、調整筒３ｇの先端部の内径Ｄ１より折り返し部３ｆの内径Ｄ２が大きく設定され、折り返し部３ｆの基部から調整筒３ｇの先端部までの長さＬ１を所定長さに設定している。
【００１８】
このように、消音器本体７の内部空間２１は軸線方向（Ｂ−Ｃ方向）に沿ってＢ方向に進むほど拡径化し、折り返し部３ｆからさらに内側に延びる調整筒３ｇを形成することで、消音器１をベル１０１に装着しても鳴りムラが無く、しかも音程の良い音が得られ、その結果として安定した吹奏感も得られる。
【００１９】
調整筒３ｇの寸法は対応する楽器の種類によって異なった設定が必要となるが、本実施例で装着されるトランペット１００は変ロ調のトランペットなので、調整筒３ｇの内径はφ１５ｍｍ、外径はφ１７ｍｍ、長さは１５ｍｍ程度である。調整筒３ｇが備えられたことにより、トランペット１００のピッチを若干下げることができ、特に低音域の音程バランスを改善できる。
【００２０】
ベル１０１に消音器１を装着した場合には、傾斜部１１の外周面は嵌合部３ｈに柔軟取付部材９０を介してベル１０１の内周面と嵌合する。柔軟取付部材９０としては、変形して柔軟性を有するものであればよく、ゴム製部材、樹脂性部材、あるいは布製部材などであり、柔軟取付部材９０は嵌合部３ｈに接着剤により貼り付けられており、この材料の特性により良好にベル１０１の内周面に密着して嵌合し固定され、呼気が漏れないようになっている。
【００２１】
底部５は、アルミニウムで成形されているが、合成樹脂で成形されてもよく、椀状に成形されている。底部５は開口端５ａを胴部３の大径側端部３ｃ側のフランジ３ｉに嵌合し、底部５には軸線方向（Ｂ−Ｃ方向）と直交する方向（Ｄ−Ｅ方向）に最大内径部５ｅがあり、この最大内径部５ｅがベル１０１の端面１０１ａに位置している。底部５と胴部３の直線部３ａとの嵌合部は消音器１、特に消音器本体７の内部空間２１にある空気がそこから漏れないように密閉されている。これにより、鳴りむらの無い安定した音が全音域で演奏可能となる。
【００２２】
底部５の中央部には、内側に凹ましてベース５ｂが形成され、このベース５ｂからさらに内側に延びる取付筒部５ｃが形成されている。この取付筒部５ｃに、パイプ材２０の端部２０ａを圧入して取り付けて内部空間２１に配置されている。パイプ材２０は、アルミニウムで成形されているが、合成樹脂で成形されてもよく、直線状に形成され、先端２０ｂは、胴部３の傾斜部３ｂの位置まで延びている。
【００２３】
パイプ材２０の内径Ｄ１０は、マウスピース１０２の最小内径Ｄ２０より大きく設定され、このパイプ材２０によって呼気排出通路部８１が設けられ、調整筒３ｇと同じ軸線Ｏ１上に位置している。この呼気排出通路部８１は内部空間２１に連通して呼気を外部空間に排出する。このとき呼気排出通路部８１を音波が通るが、呼気排出通路部８１が音波の通る抵抗になり、外部空間に漏れ出る音量を減少させ、安定して消音効果を高めることが可能である。この呼気排出通路部８１の長さＬ２は、呼気排出通路部８１が音波の通る抵抗になる長さであればよく、特に限定されない。
【００２４】
呼気排出通路部８１の断面積は、トランペット１００のマウスピース１０２の内径Ｄ２０の最小径部（スロート）の断面積以上であり、これにより吹奏感に悪影響を与える呼気の直流の流路抵抗の付加的増加を防ぐことが可能となる。トランペット１００のスロート内径はφ３．７ｍｍ程度であるから、パイプ材２０の内径Ｄ１０はこれと同等或いはそれ以上に設定してある。
【００２５】
このように、ベル１０１に消音器本体７の胴部３を装着するだけで、演奏者の呼気が、呼気導入開口部８０から内部空間２１へ入り、この呼気は呼気排出通路部８１を通って外部空間に排出されて音響モードを閉じモードにすることができる。すなわち、呼気排出通路部８１の通路抵抗により外部への音波の伝播を抑制することで、種々の金管楽器に対応して外部空間に漏れ出る音量を減少させ、安定して消音効果を高めることが可能である。
【００２６】
しかも、消音器１をベル１０１に装着したときに、ベル１０１の端面１０１ａに底部５の最大内径部５ｅが位置し、従来品の消音器と消音器１の寸法を比較すると、消音器１を差し込んで装着したときにはベル１０１の端面１０１ａから前方に飛び出す距離が小さくなり、従来品の消音器に比べ、コンパクトで音程バランスを正しく保つことができ、しかも、鳴りむらの無い安定した音を全音域で演奏可能にすることができる。
【００２７】
また、呼気排出通路部８１を、パイプ材２０を内部空間２１に配置し、パイプ材２０の端部２０ａを消音器本体７の底部５に取り付けて構成し、呼気排出通路部８１を、消音器本体７の内部に設けている。内部空間２１に連通して呼気を外部空間に排出する所定の長さを有する呼気排出通路部８１を設け、呼気排出通路部８１の通路抵抗により外部への音波の伝播を抑制するから、外部空間に漏れ出る音量を減少させ、安定して消音効果を高めることができ、かつパイプ材２０を取り付けるだけの簡単な消音構造である。
［実施の形態２］
以下、この発明の実施の形態２に係る消音器１を図３に従って説明する。なお、実施の形態１に係る消音器１と同様な構成の箇所は同じ符号を付してその説明を省略する。この実施の形態においては、パイプ材２０を内部空間２１に配置し、このパイプ材２０の端部２０ａを消音器本体７の底部５の側部５に貫通させて取り付けている。このパイプ材２０の端部２０ａは、底部５の底面５ｇの線Ｏ３上から出ないようにしてコンパクトな構成になっている。
【００２８】
このパイプ材２０によって呼気排出通路部８１が設けられ、この軸線Ｏ２が調整筒３ｇと同じ軸線Ｏ１上に位置していないで交差しており、調整筒３ｇから内部空間２１に入り、内部空間２１でより拡張した呼気が呼気排出通路部８１から外部空間に排出される。
［実施の形態３］
以下、この発明の実施の形態３に係る消音器１を図４に従って説明する。なお、実施の形態１に係る消音器１と同様な構成の箇所は同じ符号を付してその説明を省略する。この実施の形態においては、パイプ材２０の中央より先端寄りで９０度屈曲させたものを用い、このパイプ材２０を内部空間２１に配置し、端部２０ａを消音器本体７の
胴部３の直線部３ａに貫通させて取り付けている。このパイプ材２０の端部２０ａは、胴部５の直線部３ａの側面からわずかに出ないようにしてコンパクトな構成になっている。
【００２９】
このパイプ材２０によって呼気排出通路部８１が設けられ、この軸線Ｏ４が９０度屈曲し、調整筒３ｇと同じ軸線Ｏ１上には位置しないで、軸線Ｏ４の先端側は平行にずれた位置にあり、呼気が調整筒３ｇから内部空間２１に入り、内部空間２１でより拡張した呼気が呼気排出通路部８１から外部空間に排出される。
【００３０】
また、呼気排出通路部８１を、パイプ材２０を内部空間２１に配置し、パイプ材２０の端部２０ａを消音器本体７の胴部３に取り付けて構成したから、電源や電子回路モジュールを底部５に備える場合には、胴部３から外部空間２１に漏れ出る音量を減少させ、安定して消音効果を高めることができ、かつパイプ材２０を取り付けるだけの簡単な消音構造である。
［実施の形態４］
以下、この発明の実施の形態４に係る消音器１を図５乃至図７に従って説明する。図５は消音器の断面図、図６は図５のＶＩ−ＶＩ線に沿う断面図、図７は図５の右側面図である。なお、実施の形態１に係る消音器１と同様な構成の箇所は同じ符号を付してその説明を省略する。この実施の形態においては、消音器本体７の底部５の外面に呼気排出通路部８１が底部５の直径方向に一体に成形している。呼気排出通路部８１の軸線Ｏ５は、調整筒３ｇの軸線Ｏ１上に位置していないで交差しており、先端部８１ａが外部空間に開口し、他端部８１ｂが内部空間２１に連通している。この実施の形態においては、呼気排出通路部８１を、消音器本体７の外部に設けた構成であり、消音器本体７の底部５と一体に成形しているが、胴部３と一体に成形してもよく、簡単な消音構造である。
［実施の形態５］
以下、この発明の実施の形態５に係る消音器１を図８乃至図１２に従って説明する。図８はトランペットに装着した状態の消音器の断面図、図９は消音器の断面図、図１０は図９の右側面図、図１１は図９の左側面図、図１２は消音器のカバーをはずした状態の右側面図である。なお、実施の形態１に係る消音器１と同様な構成の箇所は同じ符号を付してその説明を省略する。この実施の形態においては、消音器本体７の底部５に呼気排出通路部８１が一体に成形し、呼気排出通路部８１を、消音器本体７の内部に設けた構成である。底部５の中央の外面には、２個の電源６０を取り付ける電源取付部５ｈが直径方向に一体に成形しているため、呼気排出通路部８１は電源取付部５ｈを避けた位置に近接して平行に成形されている。
【００３１】
呼気排出通路部８１の軸線Ｏ５は、調整筒３ｇの軸線Ｏ１上に位置していないで直交しており、先端部８１ａが外部空間に開口し、他端部８１ｂが内部空間２１に連通している。電源取付部５ｈは、受け部５ｈ１と壁部５ｈ２を有し、確実に２個の電源６０を保持するようになっている。
【００３２】
底部５には、カバー取付壁５ｉが円形状に形成され、このカバー取付壁５ｉにカバー６がビス８によって着脱自在に取り付けられ、電源６０や電子回路モジュール６６の収容室８８が画定される。カバー取付壁５ｉの内側には、電源正側端子６１と、電源負側端子６２が組み付けられ、さらにイヤホン８４を接続する接続部８５と、テープレコーダなどと接続する出力部８６と、ＣＤプレーヤなどと接続する入力部８７が設けられている。
【００３３】
カバー６の内側には、電子回路用基板６５が設けられており、この電子回路用基板６５に嵌まり込んで固定されている。この電子回路用基板６５には、電子回路モジュール６６が実装され、また電子回路用基板６５の突起６５ａで電源５９を押えている。また、電子回路用基板６５には、電源ＯＮ／ＯＦＦスイッチ８９、イヤホン音量ボリューム６７、テンポダイヤル６８、メトロノーム速度設定表示部６９ａ、メトロノーム速度表示部６９ｂ、電源表示部６９ｃなどが実装されている。電源ＯＮ／ＯＦＦスイッチ８９の操作により、電源表示部６９ｃのＬＥＤが点灯したり、消灯する。テンポダイヤル６８の操作でメトロノーム速度設定表示部６９ａの設定された速度のＬＥＤが点灯し、メトロノーム速度表示部６９ｂのＬＥＤが設定された速度で点滅し、外部から操作したり、表示を見ることができるようになっている。
【００３４】
調整筒３ｇには、マイクロホン取付筒３ｊが３箇所に形成したリブ３ｋを介して一体に形成されている。一方、底部５の内側には、マイクロホン取付筒３ｊと対向する位置に支持筒部５ｊが一体に形成され、底部５には支持筒部５ｊと連通する貫通孔５ｌが形成されている。マイクロホン取付筒３ｊには、マイクロホン７７と、信号線保護筒７８の一端７８ａが装着され、信号線保護筒７８の他端７８ｂは支持筒部５ｊに装着されている。この信号線保護筒７８の内部に信号線７９を通し、さらに貫通孔５ｌを通し、信号線７９によってマイクロホン７７と電子回路用基板６５とを接続し、これによりマイクロホン７７と電源６０および電子回路モジュール６６とを接続している。
【００３５】
マイクロホン７７とその近傍の信号線７９は、マイクロホン取付筒３ｊと信号線保護筒７８により覆われ、消音器１の内部空間２１に溜まった水分が電子回路モジュール６６やマイクロホン７７に侵入することを防いでいる。マイクロホン７７の位置は、各倍音の有効な定在波の音圧バランスが良好な場所なので、全音域に渡ってバランスの良い音をピックアップできる。
【００３６】
このように消音器１自体に電源６０や電子回路モジュール６６を設けたことにより、信号線７９の各種配線が不要となり、その配線同士の絡み合いも発生しない。しかも、消音器１には、残響付加や入出力のためのジャック等の入力部、出力部も備えることもできるので、響きの良い音でＣＤ伴奏付き演奏を楽しむことや、その録音等も可能となる。
【００３７】
以上、この発明の実施の形態について詳述してきたが、具体的な構成はこの実施の形態に限られるものではなく、この発明の要旨を逸脱しない範囲における設計の変更があってもこの発明の範囲に含まれる。当然ながら、この発明の消音器を装着する金管楽器はトランペットに限らない。
【産業上の利用可能性】
【００３８】
この発明は、トランペットやトロンボーン等の金管楽器に用いられる消音器に係り、特に音量を少なくする目的で用いられる弱音用の金管楽器用消音器に適用でき、種々の金管楽器に対応して外部空間に漏れ出る音量を減少させ、安定して消音効果を高めることが可能で、かつコンパクトで高性能である。
【図面の簡単な説明】
【００３９】
【図１】この発明の金管楽器用消音器が装着されるトランペットの概略斜視図である。
【図２】トランペットに装着した状態の実施形態１の消音器の断面図である。
【図３】トランペットに装着した状態の実施形態２の消音器の断面図である。
【図４】トランペットに装着した状態の実施形態３の消音器の断面図である。
【図５】実施形態４の消音器の断面図である。
【図６】図５のＶＩ−ＶＩ線に沿う断面図である。
【図７】図５の右側面図である。
【図８】トランペットに装着した状態の実施形態４の消音器の断面図である。
【図９】実施形態４の消音器の断面図である。
【図１０】図９の右側面図である。
【図１１】図９の左側面図である。
【図１２】消音器のカバーをはずした状態の右側面図である。
【符号の説明】
【００４０】
１  消音器
３  胴部
３ｇ  調整筒
５  底部
７  消音器本体
２０  パイプ材
２１  内部空間
６０  電源
６６  電子回路モジュール
７７  マイクロホン
７８  信号線保護筒
７９  信号線
８０  呼気導入開口部
８１  呼気排出通路部
９０  柔軟取付部材
１００  トランペット
１０１  ベル
１０２  マウスピース
【図１】
2008096498.tif 000003
【図２】
2008096498.tif 000004
【図３】
2008096498.tif 000005
【図４】
2008096498.tif 000006
【図５】
2008096498.tif 000007
【図６】
2008096498.tif 000008
【図７】
2008096498.tif 000009
【図８】
2008096498.tif 000010
【図９】
2008096498.tif 000011
【図１０】
2008096498.tif 000012
【図１１】
2008096498.tif 000013
【図１２】
2008096498.tif 000014
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
金管楽器のベルに装着される消音器本体を有する金管楽器用消音器であり、
前記消音器本体は椀状の底部と胴部からなる内部空間を有し、
前記底部に最大内径部があり、この最大内径部が前記ベルの端面に位置し、
前記胴部が前記ベルに密着するように装着して前記胴部の外周と前記ベルの内周との間を密閉し、
前記消音器本体に、
呼気を内部空間に導入する呼気導入開口部と、
前記内部空間に連通して呼気を外部空間に排出する所定の長さを有する呼気排出通路部を設け、
前記呼気導入開口部は、前記胴部の小径側端部側が前記消音器本体の最小外径部及び最小内径部をなし、この小径側端部側で内側に折り返し、折り返し部からさらに内側に延びる軸線が前記消音器本体の軸線方向と一致するよう延びた調整筒により構成し、
前記呼気排出通路部の通路抵抗により外部への音波の伝播を抑制するようにした、
ことを特徴とする金管楽器用消音器。
【請求項２】
前記呼気排出通路部を、前記消音器本体の内部に設けた、
ことを特徴とする請求項１に記載の金管楽器用消音器。
【請求項３】
前記呼気排出通路部を、前記消音器本体の外部に設けた、
ことを特徴とする請求項１に記載の金管楽器用消音器。
【請求項４】
前記消音器本体の底部の外部に電源および電子回路モジュールを備え、
前記消音器本体の内部にマイクロホンを備え、
前記電源および電子回路モジュールと前記マイクロホンを信号線で接続した、
ことを特徴とする請求項１乃至請求項３のいずれか１項に記載の金管楽器用消音器。
【手続補正２】
【補正対象書類名】明細書
【補正対象項目名】０００６
【補正方法】変更
【補正の内容】
【０００６】
請求項１に記載の発明は、金管楽器のベルに装着される消音器本体を有する金管楽器用消音器であり、
前記消音器本体は椀状の底部と胴部からなる内部空間を有し、
前記底部に最大内径部があり、この最大内径部が前記ベルの端面に位置し、
前記胴部が前記ベルに密着するように装着して前記胴部の外周と前記ベルの内周との間を密閉し、
前記消音器本体に、
呼気を内部空間に導入する呼気導入開口部と、
前記内部空間に連通して呼気を外部空間に排出する所定の長さを有する呼気排出通路部を設け、
前記呼気導入開口部は、前記胴部の小径側端部側が前記消音器本体の最小外径部及び最小内径部をなし、この小径側端部側で内側に折り返し、折り返し部からさらに内側に延びる軸線が前記消音器本体の軸線方向と一致するよう延びた調整筒により構成し、
前記呼気排出通路部の通路抵抗により外部への音波の伝播を抑制するようにした、
ことを特徴とする金管楽器用消音器である。
【手続補正３】
【補正対象書類名】明細書
【補正対象項目名】００１１
【補正方法】変更
【補正の内容】
【００１１】
請求項１に記載の発明では、消音器本体は椀状の底部と胴部からなる内部空間を有し、底部に最大内径部があり、この最大内径部がベルの端面に位置し、胴部がベルに密着するように装着して胴部の外周とベルの内周との間を密閉しており、演奏者の呼気が、金管楽器のベルに装着した消音器本体の胴部の呼気導入開口部から内部空間へ入り、この呼気は呼気排出通路部を通って外部空間に排出され、このとき呼気排出通路部を音波が通るが、呼気排出通路部により外部への音波の伝播を抑制する。したがって、種々の金管楽器に対応して外部空間に漏れ出る音量を減少させ、安定して消音効果を高めることが可能で、かつコンパクトで音程バランスを正しく保つことができ、しかも、鳴りむらの無い安定した音を全音域で演奏可能にすることができる。また、呼気導入開口部は、胴部の小径側端部側が消音器本体の最小外径部及び最小内径部をなし、この小径側端部側で内側に折り返し、折り返し部からさらに内側に延びる軸線が消音器本体の軸線方向と一致するよう延びた調整筒により構成したから、鳴りムラが無く、しかも音程の良い音が得られ、その結果として安定した吹奏感も得られる。
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
マウスピースが取り付けられた金管楽器のベルに装着される消音器本体を有する金管楽器用消音器であり、
前記消音器本体は椀状の底部と胴部からなる内部空間を有し、
前記底部に最大内径部があり、この最大内径部が前記ベルの端面に位置し、
前記胴部が前記ベルに密着するように装着して前記胴部の外周と前記ベルの内周との間を密閉し、
前記消音器本体に、
呼気を内部空間に導入する呼気導入開口部と、
前記内部空間に連通して呼気を外部空間に排出する所定の長さを有する呼気排出通路部を設け、
前記呼気導入開口部は、前記胴部の小径側端部側が前記消音器本体の最小外径部及び最小内径部をなし、この小径側端部側で内側に折り返し、折り返し部からさらに内側に延びる軸線が前記消音器本体の軸線方向と一致するよう延びた調整筒により構成し、
前記調整筒は、先細りの円筒形状であり、
前記調整筒の先端部の内径より折り返し部の内径が大きく設定され、
前記折り返し部の基部から前記調整筒の先端部までの長さを所定長さに設定し、
前記呼気排出通路部の内径は前記マウスピースの内径の最小径部以上であり、かつ前記呼気排出通路部の内径は前記調整筒の先端部の内径より小さく設定され、
前記呼気排出通路部の通路抵抗により外部への音波の伝播を抑制するようにした、
ことを特徴とする金管楽器用消音器。
【請求項２】
前記呼気排出通路部を、前記消音器本体の内部に設けた、
ことを特徴とする請求項１に記載の金管楽器用消音器。
【請求項３】
前記呼気排出通路部を、前記消音器本体の外部に設けた、
ことを特徴とする請求項１に記載の金管楽器用消音器。
【請求項４】
前記消音器本体の底部の外部に電源および電子回路モジュールを備え、
前記消音器本体の内部にマイクロホンを備え、
前記電源および電子回路モジュールと前記マイクロホンを信号線で接続した、
ことを特徴とする請求項１乃至請求項３のいずれか１項に記載の金管楽器用消音器。
【手続補正２】
【補正対象書類名】明細書
【補正対象項目名】０００６
【補正方法】変更
【補正の内容】
【０００６】
請求項１に記載の発明は、マウスピースが取り付けられた金管楽器のベルに装着される消音器本体を有する金管楽器用消音器であり、
前記消音器本体は椀状の底部と胴部からなる内部空間を有し、
前記底部に最大内径部があり、この最大内径部が前記ベルの端面に位置し、
前記胴部が前記ベルに密着するように装着して前記胴部の外周と前記ベルの内周との間を密閉し、
前記消音器本体に、
呼気を内部空間に導入する呼気導入開口部と、
前記内部空間に連通して呼気を外部空間に排出する所定の長さを有する呼気排出通路部を設け、
前記呼気導入開口部は、前記胴部の小径側端部側が前記消音器本体の最小外径部及び最小内径部をなし、この小径側端部側で内側に折り返し、折り返し部からさらに内側に延びる軸線が前記消音器本体の軸線方向と一致するよう延びた調整筒により構成し、
前記調整筒は、先細りの円筒形状であり、
前記調整筒の先端部の内径より折り返し部の内径が大きく設定され、
前記折り返し部の基部から前記調整筒の先端部までの長さを所定長さに設定し、
前記呼気排出通路部の内径は前記マウスピースの内径の最小径部以上であり、かつ前記呼気排出通路部の内径は前記調整筒の先端部の内径より小さく設定され、
前記呼気排出通路部の通路抵抗により外部への音波の伝播を抑制するようにした、
ことを特徴とする金管楽器用消音器である。
【手続補正３】
【補正対象書類名】明細書
【補正対象項目名】００１１
【補正方法】変更
【補正の内容】
【００１１】
請求項１に記載の発明では、消音器本体は椀状の底部と胴部からなる内部空間を有し、底部に最大内径部があり、この最大内径部がベルの端面に位置し、胴部がベルに密着するように装着して胴部の外周とベルの内周との間を密閉しており、演奏者の呼気が、金管楽器のベルに装着した消音器本体の胴部の呼気導入開口部から内部空間へ入り、この呼気は呼気排出通路部を通って外部空間に排出され、このとき呼気排出通路部を音波が通るが、呼気排出通路部により外部への音波の伝播を抑制する。したがって、種々の金管楽器に対応して外部空間に漏れ出る音量を減少させ、安定して消音効果を高めることが可能で、かつコンパクトで音程バランスを正しく保つことができ、しかも、鳴りむらの無い安定した音を全音域で演奏可能にすることができる。また、呼気導入開口部は、胴部の小径側端部側が消音器本体の最小外径部及び最小内径部をなし、この小径側端部側で内側に折り返し、折り返し部からさらに内側に延びる軸線が消音器本体の軸線方向と一致するよう延びた調整筒により構成し、調整筒の形状、かつ調整筒とマウスピースと呼気排出通路部との関係を規定することで、鳴りムラが無く、しかも音程の良い音が得られ、その結果として安定した吹奏感も得られる。